(57)【要約】【課題】上側耐火面材どうしの継目を少なくできるとともに、上側耐火面材の重量の嵩みを抑えることができ、さらに、上側耐火面材と下側耐火面材との合計の厚さを所定の厚さにできるともに、下側耐火面材の重量の嵩みを抑えることができる耐火面材の取付け構造を提供する。【解決手段】壁面に、方形板状の複数の下側耐火面材３を取付け、下側耐火面材３によって形成された取付面５に、方形板状の上側耐火面材４を取付け、この上側耐火面材４を、前記下側耐火面材３より薄くてかつ面積が大きいものとすることによって、上側耐火面材４どうしの継目を少なくし、上側耐火面材４の重量の嵩みを抑え、上側耐火面材４と下側耐火面材３との合計の厚さを所定の厚さにでき、下側耐火面３の重量の嵩みを抑えることができる。【選択図】        図１
2004278035.tif 000002
【特許請求の範囲】
【請求項１】
壁面に、耐火面材を取付けてなる耐火面材の取付け構造であって、
前記壁面には、方形板状の複数の下側耐火面材が取付けられており、これら下側耐火面材によって形成された取付面には、少なくとも１枚以上の方形板状の上側耐火面材が取付けられており、
この上側耐火面材は、前記下側耐火面材より薄くてかつ面積が大きいことを特徴とする耐火面材の取付け構造。
【請求項２】
請求項１に記載の耐火面材の取付け構造において、
前記下側耐火面材と上側耐火面材とは、互いに隣り合う前記下側耐火面材どうしの継目と、互い隣り合う前記上側耐火面材どうしの継目とが一致しないようにして、配置されていることを特徴とする耐火面材の取付け構造。
【請求項３】
請求項２に記載の耐火面材の取付け構造において、
前記下側耐火面材と上側耐火面材のうち、一方は横長の方形板状をなし、他方は縦長の方形板状をなしており、
これら下側耐火面材と上側耐火面材とは、それらの長辺どうしが直交するようにして、配置されていることを特徴とする耐火面材の取付け構造。
【請求項４】
請求項３に記載の耐火面材の取付け構造において、
前記下側耐火面材は横長の方形板状をなし、前記上側耐火面材は縦長の方形板状をなしており、
前記下側耐火面材の長辺の長さと、上側耐火面材の短辺の長さとは、それぞれ基準寸法の整数倍となっていることを特徴とする耐火面材の取付け構造。
【請求項５】
請求項４に記載の耐火面材の取付け構造において、
前記下側耐火面材は、短辺どうしの継目が、縦方向に連続しないようにして配置されていることを特徴とする耐火面材の取付け構造。
【発明の詳細な説明】
【０００１】
【発明の属する技術分野】
本発明は、住宅等の建物の壁面に、石膏ボード等の耐火面材を取付けてなる耐火面材の取付け構造に関する。
【０００２】
【背景の技術】
住宅等の建物の壁面には、通常石膏ボード等からなる耐火面材が取付けられており、耐火性をさらに向上させるために、耐火面材を２重に取付ける場合がある。この技術の一例について、例えば特許文献１に記載されている。
すなわち、この特許文献１に記載の技術では、間仕切壁が、上部ランナと下部ランナとの間に一定間隔で配設された複数の柱状のスタッドと、スタッドの両側にそれぞれ取付けられた２枚重ねの石膏ボード（耐火面材）とから概略構成されている。２枚重ねのうち下側の石膏ボードはタッピングネジ等を用いてスタッドに取付けられており、上側の石膏ボードは下側の石膏ボードにステープル等を用いて取付けられている。なお、下側の石膏ボードおよび上側の石膏ボードともその厚さは等しく、１５ｍｍ程度ある。
【０００３】
【特許文献１】
特開２００１−１９３１８２号公報（第５頁、第１図）
【０００４】
【発明が解決しようとする課題】
ところで、上述したように、壁面に石膏ボード等の耐火面材を２枚重ねで取付ける場合、上側耐火面材の継目はなるべく少ない方が望ましい。それは、防火性能上、継目がなるべく少ない方が防火上の欠点が少なくなり有効となるからである。また、上側耐火面材の表面には、最終的にクロスを貼り付けるため、耐火面材どうしの継目においては、クロスに継目に沿った筋等が入り易く、この筋等が入らないようにクロスを貼り付けるのに手間がかかるばかりか、継目に沿ってクロスが切れる場合もあり、その補修に手間がかかるからでもある。
上側耐火面材どうしの継目をなるべく少なくするには、上側耐火面材を大きくすればよいが、大きくすると上側耐火面材の重量が嵩み、取り扱い難くなる。
一方、上側耐火面材の重量が嵩まないように薄くすると、この上側耐火面材と下側耐火面材との合計の厚さが薄くなり、耐火性能が低下する。
そこで、下側耐火面材の厚さを厚くすれば、上側耐火面材と下側耐火面材との合計の厚さを所定の厚さにすることができるが、下側耐火面材の重量が嵩んでしまい、取り扱い難くなる。
【０００５】
本発明は上記事情に鑑みてなされたもので、壁面に耐火面材を２枚重ねで取付ける場合に、上側耐火面材どうしの継目を少なくできるとともに、上側耐火面材の重量の嵩みを抑えることができ、さらに、上側耐火面材と下側耐火面材との合計の厚さを所定の厚さにできるともに、下側耐火面材の重量の嵩みを抑えることができる耐火面材の取付け構造を提供することを目的としている。
【０００６】
【課題を解決するための手段】
上記目的を達成するために、請求項１に記載の発明は、例えば図１〜図５に示すように、壁面に、耐火面材を取付けてなる耐火面材の取付け構造であって、
前記壁面には、方形板状の複数の下側耐火面材３が取付けられており、これら下側耐火面材３によって形成された取付面５には、少なくとも１枚以上の方形板状の上側耐火面材４が取付けられており、
この上側耐火面材４は、前記下側耐火面材３より薄くてかつ面積が大きいことを特徴とする。
【０００７】
ここで、壁面に耐火面材を２重貼りして取付ける場合、所定の耐火性能を得るために、２枚の耐火面材を所定の厚さにする必要があるが、請求項１に記載の発明では、上側耐火面材４を薄くした分、下側耐火面材３を厚くすることによって前記所定の厚さを確保すればよい。
【０００８】
請求項１に記載の発明によれば、上側耐火面材４は、前記下側耐火面材３より薄くてかつ面積が大きいので、上側耐火面材４どうしの継目を少なくできるとともに、上側耐火面材４の重量の嵩みを抑えることができる。また、上側耐火面材４を薄くした分、下側耐火面材３を厚くすることによって、上側耐火面材４と下側耐火面材３との合計の厚さを所定の厚さにできる。さらに、下側耐火面材３は上側耐火面材４より面積が小さいので、下側耐火面３の重量の嵩みを抑えることができる。
【０００９】
請求項２に記載の発明は、請求項１に記載の耐火面材の取付け構造において、
前記下側耐火面材３と上側耐火面材４とは、互いに隣り合う前記下側耐火面材３，３どうしの継目Ｔ１，Ｔ２と、互い隣り合う前記上側耐火面材４，４どうしの継目Ｔ３とが一致しないようにして、配置されていることを特徴とする。
【００１０】
請求項２に記載の発明によれば、互いに隣り合う下側耐火面材３，３どうしの継目Ｔ１，Ｔ２と、互い隣り合う上側耐火面材４，４どうしの継目Ｔ３とが一致しないので、上側耐火面材４，４どうしの継目Ｔ３は、下側耐火面材３上に位置しており、これによって、隣り合う上側耐火面材４，４どうしには、継目Ｔ３近傍で段差が生じ難くなる。よって、これら上側耐火面材４上にクロスを貼り付ける際に、継目Ｔ３に沿ってクロスに傷や突条が生じたり、クロスが切れるといった不具合を解消できる。
【００１１】
請求項３に記載の発明は、請求項２に記載の耐火面材の取付け構造において、
前記下側耐火面材３と上側耐火面材４のうち、一方は横長の方形板状をなし、他方は縦長の方形板状をなしており、
これら下側耐火面材３と上側耐火面材４とは、それらの長辺どうしが直交するようにして、配置されていることを特徴とする。
【００１２】
請求項３に記載の発明によれば、下側耐火面材３と上側耐火面材４とは、それらの長辺どうしが直交しているので、下側耐火面材３，３どうしの継目Ｔ２と上側耐火面材４，４どうしの継目Ｔ３とが直交する。このように継目Ｔ２とＴ３が同じ方向を向かずに直交するので、継目が重なっている場合の強度低下を防ぐことができる。
【００１３】
請求項４に記載の発明は、請求項３に記載の耐火面材の取付け構造において、
前記下側耐火面材３は横長の方形板状をなし、前記上側耐火面材４は縦長の方形板状をなしており、
前記下側耐火面材３の長辺の長さと、上側耐火面材４の短辺の長さとは、それぞれ基準寸法の整数倍となっていることを特徴とする。
【００１４】
ここで、前記基準寸法は、建築のあらゆる部分を一定の大きさの倍数関係に整えようとするときの基準となる寸法に設定するのが望ましい。この場合、基準寸法としては、例えば９１０ｍｍ、４５５ｍｍ、１０００ｍｍ、５００ｍｍ等が採用される。
【００１５】
請求項４に記載の発明によれば、横方向に継目Ｔ１を介して配置された下側耐火面材３の総延長が、基準寸法の整数倍となり、横方向に継目Ｔ３を介して配置された上側耐火面材４の総延長が、基準寸法の整数倍となるので、これら下側耐火面材３と上側耐火面材４を取付ける壁面の横方向の長さを、基準寸法の整数倍に設定することによって、下側耐火面材３と上側耐火面材４とをそれぞれ隙間無く壁面に横方向に割り付けることができる。
【００１６】
請求項５に記載の発明は、請求項４に記載の耐火面材の取付け構造において、
前記下側耐火面材３は、短辺どうしの継目Ｔ１が、縦方向に連続しないようにして配置されていることを特徴とする。
【００１７】
請求項５に記載の発明によれば、下側耐火面材３の短辺どうしの継目Ｔ１が、縦方向に連続していないので、これら下側耐火面材３によって形成された取付面５は、前記継目Ｔ１が縦方向に連続している場合に比して、全体的に平坦となる。したがって、この取付面５に取付けられた上側耐火面材４どうしには、継目Ｔ３近傍で段差が生じ難くなる。よって、これら上側耐火面材４上にクロスを貼り付ける際に、継目に沿ってクロスに傷や突条が生じたり、クロスが切れるといった不具合を解消できる。
【００１８】
【発明の実施の形態】
以下、図面を参照して本発明の実施の形態について説明する。
本実施の形態の耐火面材の取付け構造では、図５に示すように、複数の間仕切パネル１を横方向に接合することによって形成された間仕切壁２の壁面に、下側耐火面材と上側耐火面材とを取付ける場合を例にとって説明する。
【００１９】
間仕切パネル１は、框材１ａを矩形枠状に組み、この矩形枠の内部に補強桟材１ｂを組み付けてなるスケルトンパネルであり、このような間仕切パネル１を複数横方向に接合していくことによって間仕切壁２が形成される。
なお、間仕切パネル１の幅寸法、つまり横方向の長さは、基準寸法を例えば９１０ｍｍとし、これを１Ｍ（モデュール）とすると、例えば１Ｍに設定されている。そして、幅寸法が１Ｍの間仕切パネル１を複数接合することによって、１Ｍの整数倍の幅寸法を有する間仕切壁２が形成される。
【００２０】
この間仕切壁２の両側の表面に、図２に示すように、それぞれ下側耐火面材３と、上側耐火面材４とが取付けられている。
下側耐火面材３は、図１および図３に示すように、横長の方形板状をなすものであり、強化石膏ボードによって形成されている。また、下側耐火面材３の横方向の長さ、つまり長辺の長さは、２Ｍ（モデュール）に設定され、厚さは２１ｍｍ程度に設定されている。
上側耐火面材４は、図１および図４に示すように、縦長の方形板状をなすものであり、強化石膏ボードによって形成されている。また、上側耐火面材４の横方向の長さ、つまり短辺の長さは、１Ｍ（モデュール）に設定され、厚さは１５ｍｍに設定されている。
また、下側耐火面材３の縦方向の長さ、つまり短辺の長さをＬとすると、上側耐火面材４の縦方向の長さ、つまり長辺の長さは５Ｌに設定されている。
このように、上側耐火面材４は、下側耐火面材より薄くてかつ面積が大きいものとなっている。
【００２１】
上記のような下側耐火面材３と上側耐火面材４とは以下のようにして間仕切壁２の壁面に配置され、取付けられている。
すなわち、間仕切壁２の壁面には、図３に示すように、多数の下側耐火面材３が接着や釘打ちによって取付けられている。下側耐火面材３は、縦方向（図において上下方向）に５段配置されており、横方向には所定枚数、つまり、壁面の横方向の長さに対応した枚数だけ配置されている。また、間仕切壁２の上下の高さは５Ｌに設定されており、よって、短辺の長さがＬの下側耐火面材３は縦方向に５段配置することによって、間仕切壁２の壁面の上端から下端までに隙間無く納まっている。
また、縦方向に隣り合う下側耐火面材３，３どうしは、一方の下側耐火面材３の端が、他方の下側耐火面材３の中央に位置するようにして配置されている。これによって横方向（図において左右方向）に隣り合う下側耐火面材３，３どうしの継目Ｔ１は、縦方向に連続せず、千鳥状に配置されている。また、縦方向に隣り合う下側耐火面材３，３どうしの継目Ｔ２は横方向に連続している。
【００２２】
多数の下側耐火面材３によって形成された取付面５には、多数の上側耐火面材４が接着や釘打ちによって取付けられている。上側耐火面材４は、図４に示すように、その縦方向の長さ、つまり長辺の長さが５Ｌであり、壁面の高さが５Ｌであるので、縦方向（図において上下方向）には１枚だけ配置されており、横方向には所定枚数、つまり、壁面の横方向の長さに対応した枚数だけ配置されている。また、図１に示すように、下側耐火面材３と上側耐火面材４とは、それらの長辺どうしが直交するようにして、配置されている。
さらに、横方向（図において左右方向）に隣り合う上側耐火面材４，４どうしの継目Ｔ３は、前記下側耐火面材３，３どうしの継目Ｔ１と位置が一致しないようにして配置されている。つまり継目Ｔ３は、継目Ｔ２から距離ｓだけ横方向にずれた位置に配置されている。この距離ｓは下側耐火面材３の長辺の長さの１／４の長さ、つまり、０．５Ｍ（モデュール）に設定されている。
このように、下側耐火面材３と上側耐火面材４とは、互いに隣り合う下側耐火面材３，３どうしの継目Ｔ１，Ｔ２と、互い隣り合う上側耐火面材４，４どうしの継目Ｔ３とが一致しないようにして、配置されている。
【００２３】
このような本実施の形態の耐火面材の取付け構造は、図５に示すように、前記間仕切パネル１を所定枚数だけ横方向に接合することによって、間仕切壁２を形成し、この間仕切壁２の表面に、まず、下側耐火面材３を多数取付け、次に、これら下側耐火面材３によって形成された取付面５に上側耐火面材４を多数取りつけることによって施工される。なお、上側耐火面材４を取付けた後、該上側耐火面材４上にクロスを貼り付けることによって間仕切壁を仕上げる。
【００２４】
本実施の形態によれば、以下のような効果が得られる。
上側耐火面材４が、下側耐火面材３より薄くてかつ面積が大きいので、上側耐火面材４，４どうしの継目Ｔ３を少なくできるとともに、上側耐火面材４の重量の嵩みを抑えることができる。また、上側耐火面材４を薄くした分、下側耐火面材３を厚くすることによって、上側耐火面材４と下側耐火面材３との合計の厚さを所定の厚さにできる。さらに、下側耐火面材３は上側耐火面材４より面積が小さいので、下側耐火面材４の重量の嵩みを抑えることができる。
【００２５】
互いに隣り合う下側耐火面材３，３どうしの継目Ｔ１と、互い隣り合う上側耐火面材４，４どうしの継目Ｔ３とが一致しないので、上側耐火面材４，４どうしの継目Ｔ３は、下側耐火面材３上に位置しており、これによって、隣り合う上側耐火面材４，４どうしには、継Ｔ３目近傍で段差が生じ難くなる。よって、これら上側耐火面材４上にクロスを貼り付ける際に、継目Ｔ３に沿ってクロスに傷や突条が生じたり、クロスが切れるといった不具合を解消できる。
【００２６】
下側耐火面材３と上側耐火面材４とは、それらの長辺どうしが直交しているので、下側耐火面材３，３どうしの継目Ｔ２と上側耐火面材４，４どうしの継目Ｔ３とが直交する。このように継目Ｔ２，Ｔ３が同じ方向を向かずに直交するので、継目が重なっている場合の強度低下を防ぐことができる。
【００２７】
１Ｍ（モデュール）の整数倍の幅寸法を有する間仕切壁２の壁面に、横方向の長さが２Ｍ（モデュール）の下側耐火面材３を横方向に継目Ｔ１を介して配置したので、下側耐火面材３の総延長を、基準寸法の整数倍つまり壁面の横方向の長さに等しくでき、また、横方向の長さが１Ｍ（モデュール）の上側耐火面材４を横方向に継目Ｔ３を介して配置したので、上側耐火面材４の総延長を、基準寸法の整数倍つまり壁面の横方向の長さに等しくできる。したがって、下側耐火面材３と上側耐火面材４とをそれぞれ隙間無く壁面に横方向に割り付けることができる。なお、壁面に取付けた下側耐火面材３のうち、壁面の端に位置するものは、その端に合せて適宜切断すればよい。
【００２８】
下側耐火面材３，３の短辺どうしの継目Ｔ１が、縦方向に連続していないので、これら下側耐火面材３，３によって形成された取付面５は、継目が縦方向に連続している場合に比して、全体的に平坦となる。
したがって、この取付面５に取付けられた上側耐火面材４，４どうしには、継目Ｔ３近傍で段差が生じ難くなる。よって、これら上側耐火面材４上にクロスを貼り付ける際に、継目Ｔ３に沿ってクロスに傷や突条が生じたり、クロスが切れるといった不具合を解消できる。
【００２９】
なお、本実施の形態では、図１に示すようにして、下側耐火面材３と上側耐火面材４とを配置することによって、互いに隣り合う下側耐火面材３，３どうしの継目Ｔ１と、互い隣り合う上側耐火面材４，４どうしの継目Ｔ３とが一致しないようにしたが、下側耐火面材３と上側耐火面材４の配置は、図１に示すものに限ることなく、例えば、下側耐火面材３や上側耐火面材４を図１に示す位置より若干左右にずらして配置してもよい。要は、継目Ｔ１とＴ３とが一致しないようにして、下側耐火面材３と上側耐火面材４を配置すればよい。
【００３０】
また、本実施の形態では、間仕切パネル１を複数接合してなる間仕切壁２の壁面に、下側耐火面材３と上側耐火面材４とを取付ける場合について説明したが、これら下側耐火面材３と上側耐火面材４を取付ける壁面は、パネルによらない在来の軸組み工法やツーバイフォー工法によって形成された壁面でもよいし、さらに間仕切壁に限ることなく、外壁やその他の耐力壁の壁面でもよい。
さらに、本実施の形態では、間仕切パネル１によって間仕切壁２を形成し、その後、この間仕切壁２の壁面に下側耐火面材３と上側耐火面材４を取付けたが、その他、間仕切パネル１自体に予め下側耐火面材３と上側耐火面材４を取付けておき、これを現場で接合するものにも適用できる。
【００３１】
【発明の効果】
以上説明したように、請求項１に記載の発明によれば、上側耐火面材が下側耐火面材より薄くてかつ面積が大きいので、上側耐火面材どうしの継目を少なくできるとともに、上側耐火面材の重量の嵩みを抑えることができ、また、上側耐火面材と下側耐火面材との合計の厚さを所定の厚さにでき、さらに、下側耐火面材の重量の嵩みを抑えることができる。
【００３２】
請求項２に記載の発明によれば、下側耐火面材どうしの継目と、上側耐火面材どうしの継目とが一致しないので、隣り合う上側耐火面材どうしには、継目近傍で段差が生じ難くなる。よって、上側耐火面材上にクロスを貼り付ける際に、継目に沿ってクロスに傷や突条が生じたり、クロスが切れるといった不具合を解消できる。
【００３３】
請求項３に記載の発明によれば、下側耐火面材どうしの継目と上側耐火面材どうしの継目とが直交するので、継目が重なっている場合の強度低下を防ぐことができる。
【００３４】
請求項４に記載の発明によれば、下側耐火面材の長辺の長さと、上側耐火面材の短辺の長さとは、それぞれ基準寸法の整数倍となっているので、これら下側耐火面材と上側耐火面材を取付ける壁面の横方向の長さを、基準寸法の整数倍に設定することによって、下側耐火面材と上側耐火面材とをそれぞれ隙間無く壁面に横方向に割り付けることができる。
【００３５】
請求項５に記載の発明によれば、下側耐火面材の短辺どうしの継目が、縦方向に連続していないので、上側耐火面材どうしには、継目近傍で段差が生じ難くなる。よって、これら上側耐火面材上にクロスを貼り付ける際に、継目に沿ってクロスに傷や突条が生じたり、クロスが切れるといった不具合を解消できる。
【図面の簡単な説明】
【図１】本発明の耐火面材の取付け構造の一例を示すもので、壁面に耐火面材を取付けた状態を示す正面図である。
【図２】同、壁面に耐火面材を取付けた状態を示す断面図である。
【図３】同、壁面に下側耐火面材を取付けた状態を示す正面図である。
【図４】同、下側耐火面材上に上側耐火面材を取付けた状態を示す正面図である。
【図５】同、耐火面材を取付ける間仕切壁の正面図である。
【符号の説明】
２  間仕切壁
３  下側耐火面材
４  上側耐火面材
５  取付面
Ｔ１〜Ｔ３  継目
【図１】
2004278035.tif 000003
【図２】
2004278035.tif 000004
【図３】
2004278035.tif 000005
【図４】
2004278035.tif 000006
【図５】
2004278035.tif 000007